【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
波長掃引型の光源からの光に基づく干渉光により被検眼の断層画像を撮影する光干渉断層撮影装置であって、
撮影対象の部位として前眼部又は後眼部を取得する部位取得手段と、
前記取得された撮影対象の部位が前眼部であるか又は後眼部であるかを示す情報を表示部に表示する表示制御手段と、
波長掃引型の光源からの光により前記被検眼の前記前眼部又は前記後眼部を走査することにより前記前眼部又は前記後眼部の断層画像を撮影する撮影手段と、
を有することを特徴とする光干渉断層撮影装置。
【請求項２】
撮影モードを指定するモード指定手段と、
前記被検眼の断層画像を得る際の複数の調整項目についての調整状態を取得する状態取得手段と、を更に有し
前記部位取得手段は、前記モード指定手段により指定された撮影モードン機基づき前記撮影対象の部位を取得し、
前記表示制御手段は、被検眼の断層画像を表示させるとともに、前記取得された複数の調整状態を前記指定された撮影モードに応じて前記表示部に表示させることを特徴とする請求項１に記載の光干渉断層撮影装置。
【請求項３】
前記取得された調整状態に応じて、前記選択された撮影モードに対して調整が完了しているか否かを判定する判定手段を更に有し、
前記表示制御手段は、前記調整が完了していると判定された前記調整項目について調整が完了した旨の状態で前記表示部に表示させることを特徴とする請求項２に記載の光干渉断層撮影装置。
【請求項４】
前記複数の調整項目について少なくとも１つの調整を自動で行うか否かを設定する調整設定手段を更に有し、
前記表示制御手段は、前記自動で行わないことが設定された場合には、該設定に係る調整項目について前記判定手段により調整が完了していると判定された前記調整項目について調整が完了した旨の状態で表示させ、
前記自動で行うことが設定された場合には、前記調整が完了していると判定された前記調整項目について調整が完了した旨の状態で表示させない
ことを特徴とする請求項３に記載の光干渉断層撮影装置。
【請求項５】
被検眼と前記光干渉断層撮影装置との距離及び位置関係を変更するアラインメント手段と、
前記波長掃引型の光源からの光のフォーカス位置を制御するフォーカス制御手段と、
コヒーレンスゲートを制御するコヒーレンスゲート制御手段と、を更に有し、
前記状態取得手段は、前記被検眼と前記光干渉断層撮影装置との距離、前記被検眼と前記光干渉断層撮影装置との位置関係、前記フォーカス位置及び前記コヒーレンスゲート位置のうち少なくとも複数の調整状態を取得する
ことを特徴とする請求項２に記載の光干渉断層撮影装置。
【請求項６】
前記表示制御手段は、前記複数の調整状態のそれぞれが適合する撮影モードに応じた表示態様で前記複数の調整状態を表示させることを特徴とする請求項２に記載の光干渉断層撮影装置。
【請求項７】
前記表示制御手段は、前記複数の調整状態について、前記前眼部の撮影に対する調整が完了した調整項目と完了していない調整項目とを示す表示態様で前記複数の調整状態を表示させることを特徴とする請求項２に記載の光干渉断層撮影装置。
【請求項８】
前眼部撮影用のアダプタ部材の装着状態を検出する検出手段を更に有し、
前記判定手段は、前記撮影手段により前記撮影対象の部位の断層画像が撮影できる調整状態であるか否かを判定し、
前記部位取得手段は、前記アダプタ部材の装着状態に基づいて前記撮影対象の部位の情報を取得し、
前記表示制御手段は、前記撮影検出手段により撮影できる調整状態であると判定されない場合には、前記撮影対象の部位の情報を表示させ、前記撮影検出手段により撮影できる調整状態であると判定された場合には、前記撮影対象の部位の情報を表示させない
ことを特徴とする請求項１乃至７のいずれか１項に記載の光干渉断層撮影装置。
【請求項９】
波長掃引型の光源からの光に基づく干渉光により被検眼の断層画像を撮影する光干渉断層撮影の制御方法であって、
前記断層画像の撮影対象の部位として前眼部又は後眼部を取得するステップと、
前記取得された撮影対象の部位が前眼部であるか又は後眼部であるかを示す情報を表示部に表示するステップと、
波長挿引型の光源からの光により前記被検眼の前記前眼部又は前記後眼部を走査することにより前記前眼部又は前記後眼部の断層画像を撮影するステップと、
を有することを特徴とする制御方法。
【請求項１０】
波長挿引型の光源からの光に基づく干渉光により被検眼の断層画像を撮影する光干渉断層撮影の制御方法であって、
撮影モードとして前眼部撮影モード又は後眼部撮影モードを指定するステップと、
前記被検眼の断層画像を得る際の複数の調整項目についての調整状態を取得するステップと、
前記被検眼の断層画像を表示させるとともに、前記取得された複数の調整状態を前記指定された撮影モードに応じた表示形態で表示部に表示させるステップと、
を有することを特徴とする制御方法。
【手続補正２】
【補正対象書類名】明細書
【補正対象項目名】０００４
【補正方法】変更
【補正の内容】
【０００４】
波長掃引型の光源を用いたＯＣＴでは実用上撮影範囲の広さ、深さが向上しているため、適用対象となる撮影部位が多くなる。そのため、撮影部位の取り違えの可能性が従来の装置に対して増加する恐れがある。
【手続補正３】
【補正対象書類名】明細書
【補正対象項目名】０００５
【補正方法】変更
【補正の内容】
【０００５】
そこで、本発明に係る光干渉断層撮影装置は、波長掃引型の光源からの光に基づく干渉光により被検眼の断層画像を撮影する光干渉断層撮影装置であって、撮影対象の部位として前眼部又は後眼部を取得する部位取得手段と、前記取得された撮影対象の部位が前眼部であるか又は後眼部であるかを示す情報を表示部に表示する表示制御手段と、波長掃引型の光源からの光により前記被検眼の前記前眼部又は前記後眼部を走査することにより前記前眼部又は前記後眼部の断層画像を撮影する撮影手段と、を有することを特徴とする。
【手続補正４】
【補正対象書類名】明細書
【補正対象項目名】０００６
【補正方法】変更
【補正の内容】
【０００６】
本発明によれば、波長掃引型の光源を用いたＯＣＴ撮影において、撮影部位の誤認識による誤撮影の可能性を低減することができる。
【手続補正５】
【補正対象書類名】明細書
【補正対象項目名】０００９
【補正方法】変更
【補正の内容】
【０００９】
［装置の全体構成］
図１は、本実施形態における光干渉断層撮影装置の構成を示す図である。本実施形態に係る光干渉断層撮影装置は、波長掃引型の光源からの光を、参照光と被写体を経由する測定光に分割し、これら２つの光束の干渉光から断層画像を得る光干渉断層撮影装置である。実施形態に係る光干渉断層撮影装置は、ＳＳ−ＯＣＴ（Ｓｗｅｐｔ  Ｓｏｕｒｃｅ  ＯＣＴ；以下、ＯＣＴ）１００、走査型検眼鏡（Ｓｃａｎｎｉｎｇ  Ｌａｓｅｒ  Ｏｐｈｔｈａｌｍｏｓｃｏｐｅ：以下、ＳＬＯ）１４０、前眼部撮像部１６０、内部固視灯１７０、制御部２００を有する。
【手続補正６】
【補正対象書類名】明細書
【補正対象項目名】００１１
【補正方法】変更
【補正の内容】
【００１１】
＜ＯＣＴ１００の構成＞
ＯＣＴ１００は、波長掃引型の光源からの光により前記被検眼の前記撮影対象の部位を走査することにより断層画像を撮影する撮影部として機能する。ＯＣＴ１００の構成について説明する。
【手続補正７】
【補正対象書類名】明細書
【補正対象項目名】００１２
【補正方法】変更
【補正の内容】
【００１２】
光源１０１は、波長を変化させることが可能な波長掃引型光源であり、例えば、中心波長１０４０ｎｍ、バンド幅１００ｎｍの光を出射する。光源１０１から出射された光は、ファイバ１０２、偏光コントローラ１０３を介して、ファイバカップラ１０４に導かれ、光量を測定するファイバ１３０とＯＣＴ測定するファイバ１０５に分岐される。光源１０１から出射された光は、ファイバ１３０を介し、ＰＭ（Ｐｏｗｅｒ  Ｍｅｔｅｒ）１３１にてパワーが測定される。ファイバ１０５を介した光は、第二のファイバカップラ１０６に導かれる。ファイバカップラ１０６は光源１０１からの光が伝送される光路を参照光路と測定光路とに分割する分割部として機能する。これにより光源からの光は、測定光（ＯＣＴ測定光とも言う）と参照光に分岐される。偏光コントローラ１０３は、光源１０１から出射された光の偏光の状態を調整するものであり、直線偏光に調整される。ファイバカップラ１０４の分岐比は、９９：１であり、ファイバカップラ１０６の分岐比は、９０（参照光）：１０（測定光）である。
【手続補正８】
【補正対象書類名】明細書
【補正対象項目名】００６０
【補正方法】変更
【補正の内容】
【００６０】
ＯＣＴフォーカス制御部３０７は波長掃引型の光源からの光のフォーカス位置を制御する。ＳＬＯフォーカス制御部３０８はＳＬＯの測定光のフォーカス位置を制御する。
【手続補正９】
【補正対象書類名】明細書
【補正対象項目名】００６６
【補正方法】変更
【補正の内容】
【００６６】
モード指定部３１１でアラインメント、フォーカス、コヒーレンスゲートの調整の自動調整がオフに指定された場合、アラインメント部として機能するステージ部２０７、図２に示すアダプタ検出部、フォーカス制御部３０７、ＣＧ制御部３０１のそれぞれに対し、制御設定部３０３は自動調整を行わないよう指示する。制御設定部３０３はさらに、複数の調整項目について個別に調整を自動で行うか否かを設定することができる。またこの際、調整が自動で行われないように制御しつつ、調整が完了しているか否かの判定自体は終了させずともよい。もちろん制御設定部３０３からの指示で判定部３１０に判定処理自体を行わせないように制御することもできる。
【手続補正１０】
【補正対象書類名】明細書
【補正対象項目名】００６８
【補正方法】変更
【補正の内容】
【００６８】
またさらに、表示制御部１９１は、必要な調整が完了し、適切な撮影が可能であるような調整状態でない場合には、撮影対象の部位の情報を表示させ、調整が不十分である場合には、撮影対象の部位の情報を表示させない制御をする。ここで、ＯＣＴ１００により撮影対象の部位の断層画像が撮影できる調整状態であるか否かの判定は判定部３１０により行う。
【手続補正１１】
【補正対象書類名】明細書
【補正対象項目名】００７６
【補正方法】変更
【補正の内容】
【００７６】
ステップＳ５０１では、部位取得部３０２が撮影対象の部位を取得する。ここで撮影部位の取得は、ユーザが操作部３１２を操作することによる入力に応じてモード指定部３１１が指定する撮影モードの情報を参照して取得される。
【手続補正１２】
【補正対象書類名】明細書
【補正対象項目名】００７６
【補正方法】変更
【補正の内容】
【００７６】
ステップＳ５０３で、調整が完了した状態で撮影指示の待機処理を行う。制御部２００は、ユーザが操作部３１２を操作し、操作部３１２から撮影指示を示す入力があるまで待機し、入力があった場合には直ちにステップＳ５０４に移り、ＯＣＴ１００が波長掃引型の光源からの光により被検眼の前記撮影対象の部位を走査することにより断層画像を撮影する。ステップＳ５０５では表示制御部１９１は撮影により得られた断層画像を表示部１９２に表示させる。もちろん、撮影時に得られたＳＬＯ画像や前眼部画像も合わせて表示させることで、複数の側面から撮影された画像により効率的かつ詳細な診断が可能となる。
【手続補正１３】
【補正対象書類名】明細書
【補正対象項目名】００８１
【補正方法】変更
【補正の内容】
【００８１】
ステップＳ６０１で制御部２００は、前眼部が撮影部位であるか否かを判定する。この処理は先述の通り部位取得部３０２で得られる部位情報を用いて判定することも、アダプタ検出部による前眼部撮影用のアダプタが装着されているか否かにより判定することもできる。あるいはその両方を用いて判定することでより確実に撮影部位を設定することができる。前眼部撮影と判定された場合にはステップＳ６０２に進み、後眼部撮影と判定された場合にはステップＳ６１０に進む。
【手続補正１４】
【補正対象書類名】明細書
【補正対象項目名】００９４
【補正方法】変更
【補正の内容】
【００９４】
ステップＳ６１３では、ステップＳ６０５と同様にアラインメント調整がおこなわれる。
【手続補正１５】
【補正対象書類名】明細書
【補正対象項目名】０１１９
【補正方法】変更
【補正の内容】
【０１１９】
図８のフローチャートを用いて、連続撮影モードが指示された場合の調整処理を説明する。ステップＳ８０３乃至Ｓ８１０の各ステップの処理はそれぞれ、図６のステップＳ６０４、Ｓ６０５、Ｓ６０６、Ｓ６０７、Ｓ６０８、図５のＳ５０３、Ｓ５０４に対応する。また、ステップＳ８１３、Ｓ８１４、Ｓ８１６及びＳ８１７の各処理は、Ｓ６１４、Ｓ６１６、Ｓ５０３及びＳ５０４の各処理に対応している。
【手続補正１６】
【補正対象書類名】明細書
【補正対象項目名】０１２０
【補正方法】変更
【補正の内容】
【０１２０】
ステップＳ８０１でモード指定部３１１はユーザの操作入力に応じて連続撮影モードを指定する。ここで連続撮影モードとは、複数の撮影部位を連続して撮影するための撮影モードである。撮影対象が眼部である場合には、たとえば前眼部と後眼部の両方を撮影するための撮影モードがある。この撮影モードでは、前眼部と後眼部の一方の撮影が終了することに応じて他方の撮影準備の少なくとも一部を開始させる。
【手続補正１７】
【補正対象書類名】明細書
【補正対象項目名】０１２６
【補正方法】変更
【補正の内容】
【０１２６】
ステップＳ８１３で、ＳＬＯフォーカス制御部３０７は撮影の終了に応じてＳＬＯ１４０の測定光のフォーカス位置の調整を開始させる。ステップＳ８１４で、ＯＣＴフォーカス制御部３０７は撮影の終了に応じてＯＣＴ１００の測定光のフォーカス位置の調整を開始させる。後眼部の場合にはＯＣＴ１００による信号が微弱であるため、ＳＬＯフォーカスの位置とＯＣＴのフォーカスレンズの位置の対応関係を示すルックアップテーブルを記憶部３０９に記憶しておき、ＳＬＯのフォーカス情報に基づいてＯＣＴのフォーカス位置を制御する。
【手続補正１８】
【補正対象書類名】明細書
【補正対象項目名】０１２９
【補正方法】変更
【補正の内容】
【０１２９】
ステップＳ８１９で表示制御部１９１は得られた断層画像を並べて表示する。並べて表示させることで、例えば糖尿病のように前眼部の隅角と後眼部の網膜層厚のように、両方の部位に以上が現れるような病気の診断の効率を向上させる。ここで画像表示処理を、Ｓ８１１またはＳ８１８のいずれかの解析処理が終了する前に行うこととすれば、解析処理の結果が出るまで画像による診断が可能となり、ユーザを無駄に待たせることがない。
【手続補正１９】
【補正対象書類名】明細書
【補正対象項目名】０１３３
【補正方法】変更
【補正の内容】
【０１３３】
領域９０２は、モード指定部３１１により指定された撮影モードを表示する表示領域である。前眼部撮影モードの場合として、領域９０２には「前眼部ＯＣＴ撮影モード」の文字が表示されている。あるいは文字ではなく、眼部の画像に撮影部位を強調して表示させるアイコンで撮影部位を表示させることとしてもよい。
【手続補正２０】
【補正対象書類名】明細書
【補正対象項目名】０１４２
【補正方法】変更
【補正の内容】
【０１４２】
フォーカススライダ９１０は、ＯＣＴ１００のフォーカスの位置をユーザの操作に応じて手動で調整を行うためのＧＵＩである。フォーカス調整は、ＯＣＴフォーカス制御部３０７が駆動制御部１８０を指示し、眼底に対する合焦調整を行うために、フォーカスレンズを図示の方向に移動させる。ユーザが操作部３１２を介してフォーカススライダ９１０を動かすと、動かす方向に応じてＯＣＴフォーカス制御部３０７は駆動制御部１８０を制御し、フォーカスレンズの位置を変更する。
【手続補正２１】
【補正対象書類名】明細書
【補正対象項目名】０１４８
【補正方法】変更
【補正の内容】
【０１４８】
領域９０２には「眼底ＯＣＴ撮影モード」の文字によりユーザが指定した撮影モードが表示されている。領域９０３にはＯＣＴのフォーカスが未完である旨の文字が、調整が未完であることを示す二重の枠線で囲われて表示されている。自動調整モードがＯＦＦになっていない場合のＧＵＩが開示されており、この場合、ユーザの操作性や情報の見易さを向上させるために、領域９０７にはアラインメントの調整が完了した旨の表示はさせない。
【手続補正２２】
【補正対象書類名】明細書
【補正対象項目名】０１６６
【補正方法】変更
【補正の内容】
【０１６６】
モード指定部３１１でアラインメント、フォーカス、コヒーレンスゲートの調整の自動調整がオフに指定された場合、アラインメント部として機能するステージ部２０７、図２に示すアダプタ検出部、フォーカス制御部３０７、ＣＧ制御部３０１のそれぞれに対し、制御設定部３０３は自動調整を行わないよう指示する。制御設定部３０３はさらに、複数の調整項目について個別に調整を自動で行うか否かを設定することができる。またこの際、調整が自動で行われないように制御しつつ、調整が完了しているか否かの判定自体は終了させずともよい。もちろん制御設定部３０３からの指示で判定部３１０に判定処理自体を行わせないように制御することもできる。